(57)【要約】【課題】電波干渉に起因するスループット特性の劣化を軽減することができる情報処理装置を実現する。【解決手段】フィルタ回路６は、第２の無線通信モジュール５とアンテナ２との間に接続されている。フィルタ回路６は、第１の無線通信モジュール４によって使用される周波数帯域内の信号を減衰させるフィルタである。フィルタ回路６は、第１の無線通信モジュール４が動作状態であるか非動作状態であるかに応じて、オンまたはオフされる。例えば、第１の無線通信モジュール４が動作状態である場合には、フィルタ回路６はオンされる。これにより、アンテナ１からアンテナ２、３に入力される信号、つまりアンテナ２、３に入力される第１の無線通信モジュール４からの送信信号は、フィルタ回路６によって減衰され、その後に第２の無線通信モジュール５に送られる。【選択図】図１
2011130098.tif 000002
【特許請求の範囲】
【請求項１】
第１の周波数帯域を用いて信号を無線送信および無線受信する第１の無線通信モジュールと、
前記第１の無線通信モジュールに結合された第１のアンテナと、
第２の周波数帯域を用いて信号を無線送信および無線受信する第２の無線通信モジュールと、
前記第２の無線通信モジュールに結合された第２のアンテナと、
前記第２の無線通信モジュールと前記第２のアンテナとの間に接続され、前記第１の周波数帯域に属する信号を減衰させるフィルタ回路と、
前記第１の無線通信モジュールが動作状態である場合、前記フィルタ回路をオンする制御手段とを具備することを特徴とする情報処理装置。
【請求項２】
前記第２のアンテナに結合され、前記第１の周波数帯域を用いて信号を無線送信および無線受信する第３の無線通信モジュールをさらに具備し、
前記第２のアンテナは、前記第１の周波数帯域および前記第２の周波数帯域をカバーするように構成されていることを特徴とする請求項１記載の情報処理装置。
【請求項３】
前記第２のアンテナに結合され、前記第１の周波数帯域を用いて信号を無線送信および無線受信する第３の無線通信モジュールをさらに具備し、
前記第２の無線通信モジュールおよび前記第３の無線通信モジュールは給電線を介して前記第２のアンテナに結合され、
前記第２のアンテナは、前記第１の周波数帯域および前記第２の周波数帯域をカバーするように構成され、
前記フィルタ回路は前記給電線に接続されていることを特徴とする請求項１記載の情報処理装置。
【請求項４】
前記制御手段は、前記第１の無線通信モジュールが動作状態である場合、前記フィルタ回路をオンし、前記第１の無線通信モジュールが非動作状態である場合、前記フィルタ回路をオフすることを特徴とする請求項１記載の情報処理装置。
【請求項５】
前記第１の無線通信モジュールおよび前記第２の無線通信モジュールを含む本体と、
前記本体に回動可能に取り付けられたディスプレイユニットとをさらに具備し、
前記第１のアンテナおよび前記第２のアンテナは前記ディスプレイユニット内に含まれており、前記フィルタ回路は前記本体内に含まれていることを特徴とする請求項１記載の情報処理装置。
【請求項６】
第１の周波数帯域を用いて信号を無線送信および無線受信する第１の無線通信モジュールと、
第１の給電線を介して前記第１の無線通信モジュールに結合され、前記第１の周波数帯域をカバーする第１のアンテナと、
第２の周波数帯域を用いて信号を無線送信および無線受信する第１の無線回路と前記第１の周波数帯域を用いて信号を無線送信および無線受信する第２の無線回路とを含むコンボ無線通信モジュールと、
第２の給電線を介して前記第２の無線通信モジュールに結合され、前記第１の周波数帯域および前記第２の周波数帯域をカバーする第２のアンテナと、
前記第２の給電線に接続され、前記第１の周波数帯域に属する信号を減衰させるフィルタ回路と、
前記第１の無線通信モジュールおよび前記第１の無線回路がそれぞれ動作状態であり、且つ前記第２の無線回路が非動作状態である場合、前記フィルタ回路をオンする制御手段とを具備することを特徴とする情報処理装置。
【請求項７】
前記制御手段は、前記第１の無線通信モジュールおよび前記第１の無線回路がそれぞれ動作状態であり、且つ前記第２の無線回路が非動作状態である場合、前記フィルタ回路をオンし、前記第１の無線通信モジュールまたは前記第１の無線回路のいずれかが非動作状態である場合、前記フィルタ回路をオフすることを特徴とする請求項６記載の情報処理装置。
【請求項８】
前記制御手段は、前記第１の無線通信モジュール、前記第１の無線回路、および前記第２の無線回路がそれぞれ動作状態である場合、前記フィルタ回路をオフ状態に維持した状態で、前記第１の無線通信モジュールの送信電力を低減することを特徴とする請求項６記載の情報処理装置。
【請求項９】
前記第１の無線通信モジュールおよび前記コンボ無線通信モジュールを含む本体と、
前記本体に回動可能に取り付けられたディスプレイユニットとをさらに具備し、
前記第１のアンテナおよび前記第２のアンテナは前記ディスプレイユニット内に含まれており、前記フィルタ回路は前記本体内に含まれていることを特徴とする請求項６記載の情報処理装置。
【発明の詳細な説明】
【技術分野】
【０００１】
本発明はアンテナを有する例えばパーソナルコンピュータのような情報処理装置に関する。
【背景技術】
【０００２】
近年、ノートブック型等の様々な携帯型パーソナルコンピュータが開発されている。この種の携帯型パーソナルコンピュータの多くは、モバイル環境において例えばインターネット上のサーバのような外部デバイスとの無線通信を実行できるようにするために無線通信機能を有している。
【０００３】
また最近では、使用可能な無線通信方式の種類の増加に伴い、携帯型パーソナルコンピュータには複数の無線通信モジュールを搭載することが要求されている。この場合、これら複数の無線通信モジュールそれぞれに対応する複数のアンテナを携帯型パーソナルコンピュータの筐体内に配置することが必要となる。
【０００４】
しかし、携帯型パーソナルコンピュータの筐体は比較的小さいので、アンテナ間の距離を十分に確保することは難しい。よって、アンテナ間のアイソレーション特性が劣化し易くなり、これによって電波干渉が生じ易くなる。特に、コンピュータ内の無線通信モジュールそれぞれによって使用される周波数帯域同士が互いに隣接しているかまたは重複している場合には、電波干渉の影響は顕著となり、例えば、無線通信のスループット特性が大幅に劣化される可能性がある。
【０００５】
特許文献１には、第１の無線通信部と第２の無線通信部を含む装置が開示されている。この装置は、第１の無線通信部と第２の無線通信部との間の通信の干渉を防止するために、第１の無線通信部の送信出力レベルを低下させる機能を有している。
【先行技術文献】
【特許文献】
【０００６】
【特許文献１】特開２００４−３６３７２８号公報
【発明の概要】
【発明が解決しようとする課題】
【０００７】
しかし、このように第１の無線通信部の送信出力レベルを低下させるという構成では、第１の無線通信部の通信範囲が大幅に狭くなってしまう可能性がある。
【０００８】
本発明は上述の事情を考慮してなされたものであり、電波干渉に起因するスループット特性の劣化を軽減することができる情報処理装置を提供することを目的とする。
【課題を解決するための手段】
【０００９】
上述の課題を解決するために、本発明の情報処理装置は、第１の周波数帯域を用いて信号を無線送信および無線受信する第１の無線通信モジュールと、前記第１の無線通信モジュールに結合された第１のアンテナと、第２の周波数帯域を用いて信号を無線送信および無線受信する第２の無線通信モジュールと、前記第２の無線通信モジュールに結合された第２のアンテナと、前記第２の無線通信モジュールと前記第２のアンテナとの間に接続され、前記第１の周波数帯域に属する信号を減衰させるフィルタ回路と、前記第１の無線通信モジュールが動作状態である場合、前記フィルタ回路をオンする制御手段とを具備することを特徴とする。
【発明の効果】
【００１０】
本発明によれば、電波干渉に起因するスループット特性の劣化を軽減することができる。
【図面の簡単な説明】
【００１１】
【図１】本発明の一実施形態に係る情報処理装置の外観を示す斜視図。
【図２】同実施形態の情報処理装置のシステム構成を示すブロック図。
【図３】アンテナ間のアイソレーション特性の例を示す図。
【図４】同実施形態の情報処理装置に設けられたフィルタ回路の周波数特性の例を示す図。
【図５】図４に示すフィルタ回路によって改善されるアンテナ間のアイソレーション特性の例を示す図。
【図６】同実施形態の情報処理装置によって実行される無線通信モジュール制御処理の手順を示すフローチャート。
【発明を実施するための形態】
【００１２】
以下、図面を参照して、本発明の実施形態を説明する。  
図１には、本発明の一実施形態に係る情報処理装置の外観が示されている。この情報処理装置は、例えば、バッテリ駆動可能な携帯型パーソナルコンピュータ１０として実現されている。
【００１３】
図１は、コンピュータ１０のディスプレイユニットを開いた状態における斜視図である。本コンピュータ１０は、コンピュータ本体１１と、ディスプレイユニット１２とから構成される。ディスプレイユニット１２には、液晶表示装置（ＬＣＤ）１７から構成される表示装置が組み込まれており、そのＬＣＤ１７の表示画面はディスプレイユニット１２のほぼ中央に位置されている。
【００１４】
ディスプレイユニット１２は、コンピュータ本体１１にヒンジ部１８を介して回動自在に取り付けられている。ヒンジ部１８はコンピュータ本体１１にディスプレイユニット１２を連結する連結部である。すなわち、ディスプレイユニット１２は、コンピュータ本体１１の後端部に配置されたヒンジ部１８によって支持されている。ディスプレイユニット１２は、コンピュータ本体１１に対してコンピュータ本体１１の上面が露出される開放位置とコンピュータ本体１１の上面がディスプレイユニット１２によって覆われる閉塞位置との間をヒンジ部１８によって回動自在に取り付けられている。
【００１５】
ディスプレイユニット１２内部には、複数のアンテナが設けられている。図１においては、３つのアンテナ１，２，３がディスプレイユニット１２内に設けられている構成が例示されている。アンテナ１は、例えば、コンピュータ本体１１内の第１の無線通信モジュール４によって使用される。このアンテナ１は、給電線１Ａを介して第１の無線通信モジュール４に結合される。給電線１Ａは例えば同軸ケーブルによって実現し得る。残りの２つのアンテナ２，３は、例えば、コンピュータ本体１１内の第２の無線通信モジュール５によって使用される。２つのアンテナ２，３は、ダイバーシティ機能を実現するために用いられる。これらアンテナ２，３は、給電線２Ａ，３Ａを介して第２の無線通信モジュール５に結合される。給電線２Ａ，３Ａの各々は例えば同軸ケーブルによって実現し得る。アンテナ１，２，３の搭載位置は、例えば、ディスプレイユニット１２内の上端部である。アンテナ１，２，３をディスプレイユニット１２内の上端部に設けることにより、無線通信モジュール４，５は、アンテナ１，２，３が比較的高い位置に配置されている状態で外部デバイスとの無線通信を実行することができる。
【００１６】
コンピュータ本体１１は薄い箱形の筐体を有するベースユニットであり、その上面にはキーボード１３、本コンピュータ１０をパワーオン／パワーオフするためのパワーボタン１４、およびタッチパッド１６などが配置されている。また、コンピュータ本体１１内部には、各種電子部品が設けられたシステム基板（マザーボードとも云う）が設けられている。このシステム基板上には、上述の第１の無線通信モジュール４と第２の無線通信モジュール５が設けられている。第１の無線通信モジュール４は第１の無線通信方式に従って無線通信を実行するように構成されている。また、第２の無線通信モジュール５は第２の無線通信方式に従って無線通信を実行するように構成されている。
【００１７】
アンテナ１とアンテナ２，３との間の距離は比較的短い。このため、アンテナ１とアンテナ２，３との間のアイソレーションレベルは十分ではなく、電波干渉が生じ易い。特に、第１の無線通信モジュール４によって使用される周波数帯域と第２の無線通信モジュール５によって使用される周波数帯域とが互いに隣接しているか、またはオーバーラップしている場合には、第１の無線通信モジュール４と第２の無線通信モジュール５との間の電波干渉による影響が顕在化する可能性がある。例えば、アンテナ１から輻射される電波（つまり、第１の無線通信モジュール４からの送信信号）はアンテナ２または３を介して第２の無線通信モジュール５に入力される可能性がある。第２の無線通信モジュール５内の受信回路部においては、通常、希望信号周波数以外の他の信号はある程度減衰される。しかし、アンテナ１とアンテナ２，３との間のアイソレーションレベルが低いため、アンテナ１から第２の無線通信モジュール５に入力される信号のレベルは希望信号よりもかなり高い可能性がある。この場合、第２の無線通信モジュール５のスループット特性の劣化が引き起こされる。特に、第２の無線通信モジュール５の受信信号レベルが比較的低い環境においては、第２の無線通信モジュール５のスループット特性は大幅に劣化される可能性がある。
【００１８】
本実施形態においては、電波干渉に起因するスループット特性の劣化を防止するために、フィルタ回路６，７が設けられている。フィルタ回路６は、第２の無線通信モジュール５とアンテナ２との間に接続されており、フィルタ回路７は、第２の無線通信モジュール５とアンテナ３との間に接続されている。フィルタ回路６，７の各々は、第１の無線通信モジュール４によって使用される周波数帯域内の信号を減衰させるフィルタである。例えば、第１の無線通信モジュール４が第１の周波数帯域を用いて信号を無線送信および無線受信するように構成され、第２の無線通信モジュール５が第２の周波数帯域を用いて信号を無線送信および無線受信するように構成されている場合には、フィルタ回路６，７の各々は、第１の周波数帯域に属する信号を減衰させるフィルタによって実現し得る。
【００１９】
本実施形態においては、フィルタ回路６，７の各々は、第１の無線通信モジュール４が動作状態であるか非動作状態であるかに応じて、オンまたはオフされる。例えば、第１の無線通信モジュール４が動作状態である場合には、フィルタ回路６，７の各々はオンされる。これにより、アンテナ１からアンテナ２、３に入力される信号、つまりアンテナ２、３に入力される第１の無線通信モジュール４からの送信信号は、フィルタ回路６，７によって減衰され、その後に第２の無線通信モジュール５に送られる。
【００２０】
この結果、第２の無線通信モジュール５に入力される第１の無線通信モジュール４からの送信信号のレベルを例えば１０ｄＢ程度下げることが可能となる。つまり、アンテナ１とアンテナ２，３との間の物理的な距離の長さを変えることなく、アンテナ１とアンテナ２，３との間のアイソレーションレベルを１０ｄＢ程度改善したことと同じ効果を得ることが出来る。よって、電波干渉に起因するスループット特性の劣化を軽減することができる。
【００２１】
一方、第１の無線通信モジュール４が非動作状態である場合には、フィルタ回路６，７の各々はオフされる。これにより、フィルタ回路６，７は給電線２Ａ，３Ａから切り離されるので、アンテナ２、３に入力される信号はフィルタ回路６，７をバイパスして直接的に第２の無線通信モジュール５に送られる。よって、フィルタ回路６，７は、アンテナ２、３の各々の特性、給電線２Ａ，３Ａの各々のインピーダンス等に何等影響を及ぼすことはない。
【００２２】
フィルタ回路６，７は、ディスプレイユニット１２内ではなく、本体１１内に設けられている。これは、フィルタ回路６，７の各々と第２の無線通信モジュール５との間の距離を出来るだけ短くするためである。これにより、フィルタ回路６，７は、給電線２Ａ，３Ａを介してノイズのような高周波信号が第２の無線通信モジュール５に入力されることを防ぐ役割を果たすこともできる。
【００２３】
上述したように、電波干渉は、アンテナ１によってカバーされる第１の周波数帯域とアンテナ２，３の各々によってカバーされる第２の周波数帯域とが隣接している場合に生じ得るが、アンテナ２，３の各々が第１の周波数帯域と第２の周波数帯域とをカバーするように構成されている場合には、電波干渉による影響をより受けやすくなる。これは、第１の無線通信モジュール４からの送信信号（アンテナ１から輻射される信号）がアンテナ２，３を介して第２の無線通信モジュール５により入力され易くなるためである。
【００２４】
例えば、本コンピュータ１０の構成としては、第１の周波数帯域を用いて信号を無線送信および無線受信する第３の無線通信モジュールをさらに含む構成を採用し得る。この場合には、アンテナ２，３の各々を第２の無線通信モジュール５と第３の無線通信モジュールとによって共用するという構成を採用し得る。アンテナ２，３の各々は、第１の周波数帯域と第２の周波数帯域とをカバーする広帯域アンテナから構成される。また、アンテナ２，３の各々には、第２の無線通信モジュール５が結合されるだけでなく、第３の無線通信モジュールも結合される。つまり、アンテナ２に接続される給電線２Ａには、第２の無線通信モジュール５と第３の無線通信モジュールとが結合される。さらに、給電線２Ａには、フィルタ回路６も接続される。同様に、アンテナ３に接続される給電線３Ａにも、第２の無線通信モジュール５と第３の無線通信モジュールとが結合される。さらに、給電線３Ａには、フィルタ回路７も接続される。
【００２５】
次に、図２を参照して、本コンピュータ１０のシステム構成の例について説明する。以下では、第１の無線通信モジュール４が、２．４ＧＨｚ帯の周波数帯域を使用する、例えばＢｌｕｅｔｏｏｔｈ（登録商標）のような無線通信方式Ａで無線通信を実行するように構成され、第２の無線通信モジュール５が、２．４ＧＨｚ帯の周波数帯域を使用する、例えば無線ＬＡＮのような無線通信方式Ｂで無線通信を実行する無線回路Ｂ（ＷＬＡＮ無線回路）と、２．５ＧＨｚ帯の周波数帯域を使用する、例えばＷｉＭＡＸ（登録商標）のような無線通信方式Ｃで無線通信を実行する無線回路Ｃ（ＷｉＭＡＸ無線回路）とを含むコンボ無線通信モジュールから構成されている場合を想定する。コンボ無線通信モジュールにおいては、無線回路Ｂ（ＷＬＡＮ無線回路）または無線回路Ｃ（ＷｉＭＡＸ無線回路）のいずれか一方のみを動作させることも出来るし、無線回路Ｂ（ＷＬＡＮ無線回路）と無線回路Ｃ（ＷｉＭＡＸ無線回路）の双方を同時に動作させることもできる。
【００２６】
本コンピュータ１０は、ＣＰＵ１１１、ノースブリッジ１１２、主メモリ１１３、グラフィックスコントローラ１１４、サウスブリッジ１１９、ＢＩＯＳ−ＲＯＭ１２０、ハードディスクドライブ（ＨＤＤ）１２１、光ディスクドライブ（ＯＤＤ）１２２、エンベデッドコントローラ／キーボードコントローラＩＣ（ＥＣ／ＫＢＣ）１２５、第１の無線通信モジュール４、第２の無線通信モジュール５、フィルタ回路６，７、スイッチ回路６Ａ，７Ａ、フィルタ制御回路８等を備えている。
【００２７】
ＣＰＵ１１１は本コンピュータ１０の動作を制御するプロセッサであり、ハードディスクドライブ（ＨＤＤ）１２１から主メモリ１１３にロードされる、オペレーティングシステム（ＯＳ）、各種ユーティリティプログラム、および各種アプリケーションプログラムを実行する。ユーティリティプログラムの一つには、無線通信制御プログラム１１３Ａがある。この無線通信制御プログラム１１３Ａは、第１の無線通信モジュール４および第２の無線通信モジュール５それぞれの動作状態の組み合わせに応じて、フィルタ回路６，７をオン状態またはオフ状態のいずれかに設定する。またＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００２８】
ノースブリッジ１１２は、ＣＰＵ１１１のローカルバスとサウスブリッジ１１９との間を接続するブリッジデバイスである。またノースブリッジ１１２は、グラフィクスコントローラ１１４との通信を実行する機能も有している。
【００２９】
グラフィクスコントローラ１１４は、本コンピュータ１０のディスプレイモニタとして使用されるＬＣＤ１７を制御する表示コントローラである。サウスブリッジ１１９は各種Ｉ／Ｏデバイスを制御するブリッジデバイスである。
【００３０】
サウスブリッジ１１９には、例えば、ＵＳＢのようなバスを介して第１の無線通信モジュール４が接続されている。さらに、サウスブリッジ１１９には、ＰＣＩ  Ｅｘｐｒｅｓｓバスのようなバスを介して第２の無線通信モジュール５も接続されている。第１の無線通信モジュール４は給電線１Ａを介してアンテナ１に結合される。アンテナ１は、Ｂｌｕｅｔｏｏｔｈ（以下では、ＢＴとも称される）の帯域（２．４〜２．５ＧＨｚ）をカバーするように構成されている。
【００３１】
第２の無線通信モジュール４は給電線２Ａを介してアンテナ２に結合され、さらに、給電線３Ａを介してアンテナ３にも結合されている。アンテナ２，３の各々は、無線ＬＡＮの周波数帯域（２．４〜２．５ＧＨｚ）とＷｉＭＡＸの周波数帯域（２．５〜２．７ＧＨｚ）を共用化するために２．４〜２．７ＧＨｚの帯域をカバーしている。
【００３２】
給電線２Ａには、スイッチ付きのフィルタ回路６が接続されている。すなわち、フィルタ回路６は、スイッチ回路６Ａを介して給電線２Ａに接続されている。スイッチ回路６Ａは、フィルタ回路６をオン又はオフするためのスイッチ（ＲＦスイッチ）である。スイッチ回路６Ａがオンされた時、フィルタ回路６が給電線２Ａに接続され、これによってフィルタ回路６はオン状態（動作状態）に設定される。この場合の等価回路は、給電線２Ａにフィルタ回路６が挿入された回路となる。スイッチ回路６Ａがオフされた時、フィルタ回路６は給電線２Ａから分離され、フィルタ回路６はオフ状態（非動作状態）に設定される。
【００３３】
同様に、給電線３Ａには、スイッチ付きのフィルタ回路７が接続されている。すなわち、フィルタ回路７は、スイッチ回路７Ａを介して給電線３Ａに接続されている。スイッチ回路７Ａは、フィルタ回路７をオン又はオフするためのスイッチ（ＲＦスイッチ）である。スイッチ回路７Ａがオンされた時、フィルタ回路７が給電線３Ａに接続され、これによってフィルタ回路７はオン状態（動作状態）に設定される。この場合の等価回路は、給電線３Ａにフィルタ回路７が挿入された回路となる。スイッチ回路７Ａがオフされた時、フィルタ回路７は給電線３Ａから分離され、フィルタ回路７はオフ状態（非動作状態）に設定される。
【００３４】
フィルタ制御回路８は、無線通信制御部１１９Ａの制御の下、スイッチ回路６Ａ，７Ａを用いてフィルタ回路６，７の各々をオン状態とオフ状態との間で切り替える。無線通信制御部１１９Ａは、第１の無線通信モジュール４（ＢＴ無線回路）と、第２の無線通信モジュール５の無線回路Ｂ（ＷＬＡＮ無線回路）と、第２の無線通信モジュール５の無線回路Ｃ（ＷｉＭＡＸ無線回路）とを制御すると共に、フィルタ制御回路８を制御する。すなわち、無線通信制御部１１９Ａからの信号で第１の無線通信モジュール４（ＢＴ無線回路）と、第２の無線通信モジュール５（ＷｉＭＡＸ無線回路、およびＷＬＡＮ無線回路）それぞれが制御されると共に、同時に動作させる無線回路の組み合わせに応じてスイッチ回路６Ａ，７Ａの各々のオン／オフが制御される。さらに、無線通信制御部１１９Ａは、第１の無線通信モジュール４（ＢＴ無線回路）の送信電力を１０ｄＢ程度低減する機能も有している。
【００３５】
ＥＣ／ＫＢＣ１２５は、電力管理を行うためのエンベデッドコントローラと、キーボード（ＫＢ）１３およびタッチパッド１６を制御するためのキーボードコントローラとが集積された１チップマイクロコンピュータである。このＥＣ／ＫＢＣ１２５は、ユーザによるパワーボタン１４の操作に応じて本コンピュータ１０をパワーオン／パワーオフする機能を有している。
【００３６】
図３は、Ｂｌｕｅｔｏｏｔｈアンテナ（アンテナ１）と無線ＬＡＮ／ＷｉＭＡＸアンテナ（アンテナ２，３）との間のアイソレーション特性の例を示している。図３の横軸は周波数を表し、図３の縦軸はアイソレーションレベル（アイソレーションＳ２１［ｄＢ］）を表している。
【００３７】
上述したように、無線ＬＡＮ／ＷｉＭＡＸアンテナ（アンテナ２，３）は２．４〜２．７ＧＨｚの帯域をカバーしている。このため、Ｂｌｕｅｔｏｏｔｈアンテナ（アンテナ１）と無線ＬＡＮ／ＷｉＭＡＸアンテナ（アンテナ２，３）とを図１に示すようにディスプレイユニット１２内に配置した場合、図３に示すように、２．４ＧＨｚ帯のアイソレーションレベルは約−２０ｄＢしか得られない可能性がある。一般には、異なる無線通信方式のアンテナ間のアイソレーションレベルの推奨値は、−３０ｄＢ以下が必要であるとされている。
【００３８】
特に干渉が問題となる組み合わせは、ＷｉＭＡＸ無線回路とＢｌｕｅｔｏｏｔｈ無線回路（ＢＴ無線回路）を同時使用する場合である。Ｂｌｕｅｔｏｏｔｈ無線回路、つまり、第１の無線通信モジュール４の送信電力は、０ｄＢｍである。アイソレーションレベルが−２０ｄＢならば、約−２０ｄＢｍのＢｌｕｅｔｏｏｔｈ信号が第２の無線通信モジュール５（ＷｉＭＡＸ無線回路、およびＷＬＡＮ無線回路）に入力される。このように−２０ｄＢｍという大きな電力が第２の無線通信モジュール５に入力される。したがって、ＷｉＭＡＸ無線回路の受信信号レベル（ＲＳＳＩ値）が低い場合には、ＷｉＭＡＸ無線回路のスループットは１Ｍｂｐｓ以下に低下してしまう。よって、例えばＲＳＳＩ値が−５５ｄＢｍ以下の弱電界環境では、ＷｉＭＡＸ無線回路は通信できない状態になる。
【００３９】
通常、ＢＴ無線回路は、無線ＬＡＮとの干渉を避けるための機能として、ＡＦＨ（Adaptive Frequency Hopping）機能を有している。ＡＦＨ機能は、無線ＬＡＮによって使用されているチャネルを避けて周波数ホッピングを実行する機能である。したがって、ＷＬＡＮ無線回路とＢＴ無線回路との組み合わせにおいては、干渉に対する耐性がある程度確保され得る。
【００４０】
本実施形態では、Ｂｌｕｅｔｏｏｔｈ信号の干渉によるＷｉＭＡＸ無線回路のスループット低下を低減するために、図４に示すようなフィルタ特性を有するフィルタ回路６，７が用いられる。図４の横軸は周波数を表し、図４の縦軸は電力損失（Ｌｏｓｓ）を表している。フィルタ回路６，７の各々としては、２．５ＧＨｚ以上を通過特性とする高域通過フィルタ（High Pass Filter）または２．４ＧＨｚ帯域を減衰する帯域除去フィルタ（Band Elimination Filter）を用いることが出来る。
【００４１】
図５は、フィルタ回路６，７がオンされた時のＢｌｕｅｔｏｏｔｈアンテナ（アンテナ１）と無線ＬＡＮ／ＷｉＭＡＸアンテナ（アンテナ２，３）との間のアイソレーション特性を示している。図５の横軸は周波数を表し、図５の縦軸はアイソレーションレベル（アイソレーションＳ２１［ｄＢ］）を表している。図５から分かるように、フィルタ接続時においては、２．４ＧＨｚ帯の信号を約１０ｄＢ以上減衰させることができる。よって、２．４ＧＨｚ帯において−３０ｄＢ以下のアイソレーションレベルを確保することができる。これにより、例えば、ＲＳＳＩ値が−６０ｄＢｍであっても、ＷｉＭＡＸ無線回路は、例えば３Ｍｂｐｓ以上のスループット特性を得ることが可能となる。
【００４２】
次に、図６のフローチャートを参照して、無線通信モジュール制御プログラム１１３Ａによって実行される無線通信モジュール制御処理の手順を説明する。
【００４３】
まず、無線通信モジュール制御処理の概要について説明する。  
第１の無線通信モジュール４（ＢＴ無線回路）が動作状態（ＯＮ）で、且つ第２の無線通信モジュール５内の無線回路Ｃ（ＷｉＭＡＸ無線回路）が動作状態である場合、電波干渉が生じて第２の無線通信モジュール５内の無線回路Ｃ（ＷｉＭＡＸ無線回路）のスループットが低下する。このため、無線通信モジュール制御プログラム１１３Ａは、第１の無線通信モジュール４（ＢＴ無線回路）が動作状態（ＯＮ）で、且つ第２の無線通信モジュール５内の無線回路Ｃ（ＷｉＭＡＸ無線回路）が動作状態である場合、スイッチ回路６Ａ，６Ｂをオンすることによって、フィルタ回路６，７をオンする。これにより、アンテナ２，３を介してアンテナ１から第２の無線通信モジュール５に入力される２．４ＧＨｚ帯の信号を減衰させることができる。
【００４４】
第１の無線通信モジュール４（ＢＴ無線回路）または第２の無線通信モジュール５内の無線回路Ｃ（ＷｉＭＡＸ無線回路）のいずれかが非動作状態である場合には、電波干渉は生じない。よって、第１の無線通信モジュール４（ＢＴ無線回路）または第２の無線通信モジュール５内の無線回路Ｃ（ＷｉＭＡＸ無線回路）のいずれかが非動作状態である場合、無線通信モジュール制御プログラム１１３Ａは、スイッチ回路６Ａ，６Ｂをオフすることによって、フィルタ回路６，７をオフする。
【００４５】
図２で説明したように、第２の無線通信モジュール５としては、無線回路Ｃ（ＷｉＭＡＸ無線回路）と無線回路Ｂ（ＷＬＡＮ無線回路）とを含むコンボ無線通信モジュールを使用し得る。この場合には、フィルタ回路６，７は、第１の無線通信モジュール４（ＢＴ無線回路）が動作状態（ＯＮ）で、第２の無線通信モジュール５内の無線回路Ｃ（ＷｉＭＡＸ無線回路）が動作状態（ＯＮ）で、且つ第２の無線通信モジュール５内の無線回路Ｂ（ＷＬＡＮ無線回路）が非動作状態であることを条件に、オンすればよい。もし、第１の無線通信モジュール４（ＢＴ無線回路）、第２の無線通信モジュール５内の無線回路Ｃ（ＷｉＭＡＸ無線回路）、第２の無線通信モジュール５内の無線回路Ｂ（ＷＬＡＮ無線回路）の全てが動作状態（ＯＮ）であるならば、第１の無線通信モジュール４（ＢＴ無線回路）の送信電力を低下させる処理が無線通信モジュール制御プログラム１１３Ａによって実行される。
【００４６】
このように、無線通信モジュール制御プログラム１１３Ａは、ＢＴ無線回路、無線回路Ｃ（ＷｉＭＡＸ無線回路）、無線回路Ｂ（ＷＬＡＮ無線回路）それぞれの状態を監視し、これらＢＴ無線回路、無線回路Ｃ（ＷｉＭＡＸ無線回路）、無線回路Ｂ（ＷＬＡＮ無線回路）それぞれの状態の組み合わせに応じて、フィルタ回路６，７の各々をオン状態またはオフ状態の一方に設定する処理またはＢＴ無線回路の送信電力を制御する処理を実行する。
【００４７】
次に、無線通信モジュール制御処理の手順の例について説明する。  
まず、無線通信モジュール制御プログラム１１３Ａは、第１の無線通信モジュール４（ＢＴ無線回路）の状態が動作状態（ＯＮ）または非動作状態（ＯＦＦ）のいずれであるかを判定する（ステップＳ１１）。第１の無線通信モジュール４（ＢＴ無線回路）が非動作状態（ＯＦＦ）であるならば、つまり第１の無線通信モジュール４（ＢＴ無線回路）が非使用中であるならば、無線通信モジュール制御プログラム１１３Ａは、スイッチ回路６Ａ，６Ｂをオフすることによって、フィルタ回路６，７をオフする（ステップＳ１６）。ステップＳ１６では、第１の無線通信モジュール４（ＢＴ無線回路）の送信電力を通常値（例えば０ｄＢｍ）に設定する処理も実行される。
【００４８】
第１の無線通信モジュール４（ＢＴ無線回路）が動作状態（ＯＮ）であるならば、つまり第１の無線通信モジュール４（ＢＴ無線回路）が使用中であるならば、無線通信モジュール制御プログラム１１３Ａは、第２の無線通信モジュール５内の無線回路Ｃ（ＷｉＭＡＸ無線回路）の状態が動作状態（ＯＮ）または非動作状態（ＯＦＦ）のいずれであるかを判定する（ステップＳ１２）。
【００４９】
無線回路Ｃ（ＷｉＭＡＸ無線回路）の状態が非動作状態（ＯＦＦ）であるならば、ＢＴ無線回路と無線回路Ｃ（ＷｉＭＡＸ無線回路）との間の干渉は生じないので、無線通信モジュール制御プログラム１１３Ａは、無線通信モジュール制御プログラム１１３Ａは、スイッチ回路６Ａ，６Ｂをオフすることによって、フィルタ回路６，７をオフする（ステップＳ１６）。ステップＳ１６では、上述したように、第１の無線通信モジュール４（ＢＴ無線回路）の送信電力を通常値（例えば０ｄＢｍ）に設定する処理も実行される。
【００５０】
無線回路Ｃ（ＷｉＭＡＸ無線回路）の状態が動作状態（ＯＮ）であるならば、つまりＢＴ無線回路と無線回路Ｃ（ＷｉＭＡＸ無線回路）の双方が動作している場合には、無線通信モジュール制御プログラム１１３Ａは、第２の無線通信モジュール５内の無線回路Ｂ（ＷＬＡＮ無線回路）の状態が動作状態（ＯＮ）または非動作状態（ＯＦＦ）のいずれであるかを判定する（ステップＳ１３）。無線回路Ｂ（ＷＬＡＮ無線回路）が非動作状態（ＯＦＦ）であるならば、無線通信モジュール制御プログラム１１３Ａは、ＢＴ無線回路と無線回路Ｃ（ＷｉＭＡＸ無線回路）との間の干渉を防止するために、スイッチ回路６Ａ，６Ｂをオンすることによって、フィルタ回路６，７をオンする（ステップＳ１４）。これにより、アンテナ２，３の各々から第２の無線通信モジュール５に入力される２．４ＧＨｚ帯の信号を約１０ｄＢ程度減衰させることができ、ＢＴ無線回路と無線回路Ｃ（ＷｉＭＡＸ無線回路）との間の干渉を防止することができる。一方、無線回路Ｂ（ＷＬＡＮ無線回路）が動作状態（ＯＮ）であるならば、無線通信モジュール制御プログラム１１３Ａは、ＢＴ無線回路と無線回路Ｃ（ＷｉＭＡＸ無線回路）との間の干渉を防止するために、フィルタ回路６，７をオフ状態に維持したまま、ＢＴ無線回路の送信電力を約１０ｄＢ程度低減させる（ステップＳ１５）。ステップＳ１５では、ＢＴ無線回路の送信電力は、通常値（０ｄＢｍ）から−１０ｄＢｍに低下される。これにより、ＢＴ無線回路と無線回路Ｃ（ＷｉＭＡＸ無線回路）との間の干渉を防止することが出来る。但し、Ｂｌｕｅｔｏｏｔｈ無線回路の通信範囲は半径約３ｍ以下に狭められることになる。
【００５１】
以上説明したように、本実施形態によれば、第２の無線通信モジュール５とアンテナ２，３との間には、第１の無線通信モジュール４によって使用される周波数帯域の信号を減衰させるためのフィルタ回路６，７が接続されており、これらフィルタ回路６，７を必要に応じてオンさせることにより、第１の無線通信モジュール４と第２の無線通信モジュール５との間の干渉に起因する第２の無線通信モジュール５のスループット特性の劣化を軽減することができる。
【００５２】
なお、第２の無線通信モジュール５は必ずしもコンボ無線通信モジュールである必要はない。例えば、第２の無線通信モジュール５を無線回路Ｃ（ＷｉＭＡＸ無線回路）を含む無線通信モジュールとして実現し、無線回路Ｂ（ＷＬＡＮ無線回路）を、アンテナ２，３に結合される第３の無線通信モジュールとして実現しても良い。アンテナ２，３は、第２の無線通信モジュール５と第３の無線通信モジュールとによって共用される。つまり、第２の無線通信モジュール５および第３の無線通信モジュールの各々は、給電線２Ａを介してアンテナ２に結合され、また給電線３Ａを介してアンテナ３に結合される。
【００５３】
また、本実施形態では、第２の無線通信モジュール５に２つのアンテナ２，３が結合される場合を例示したが、第２の無線通信モジュール５に結合されるアンテナは１つのみでもよい。
【００５４】
また、本実施形態では、第１の無線通信モジュール４と第２の無線通信モジュール５の状態の組み合わせに応じてフィルタ回路６，７を制御する例を説明したが、第１の無線通信モジュール４が動作状態である場合にフィルタ回路６，７をオンし、第１の無線通信モジュール４が非動作状態である場合にフィルタ回路６，７をオフするようにしてもよい。
【００５５】
また本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素からいくつかの構成要素を削除してもよい。さらに、異なる実施形態にわたる構成要素を適宜組み合わせてもよい。
【符号の説明】
【００５６】
１，２，３…アンテナ、４…第１の無線通信モジュール、５…第２の無線通信モジュール、６，７…フィルタ回路、６Ａ，７Ａ…スイッチ回路、８…フィルタ制御回路、１１３Ａ…無線通信モジュールプログラム。
【図１】
2011130098.tif 000003
【図２】
2011130098.tif 000004
【図３】
2011130098.tif 000005
【図４】
2011130098.tif 000006
【図５】
2011130098.tif 000007
【図６】
2011130098.tif 000008
【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
第１の周波数帯域を用いて信号を無線送信および無線受信する第１の無線通信モジュールと、
前記第１の無線通信モジュールに結合された第１のアンテナと、
第２の周波数帯域を用いて信号を無線送信および無線受信する第２の無線通信モジュールと、
前記第２の無線通信モジュールに結合された第２のアンテナと、
前記第２の無線通信モジュールと前記第２のアンテナとの間に接続され、前記第１の周波数帯域に属する信号を減衰させるフィルタ回路と、
前記第１の無線通信モジュールが動作状態である場合、前記フィルタ回路をオンする制御手段とを具備する情報処理装置。
【請求項２】
前記第２のアンテナに結合され、前記第１の周波数帯域を用いて信号を無線送信および無線受信する第３の無線通信モジュールをさらに具備し、
前記第２のアンテナは、前記第１の周波数帯域および前記第２の周波数帯域をカバーするように構成されている請求項１記載の情報処理装置。
【請求項３】
前記第２のアンテナに結合され、前記第１の周波数帯域を用いて信号を無線送信および無線受信する第３の無線通信モジュールをさらに具備し、
前記第２の無線通信モジュールおよび前記第３の無線通信モジュールは給電線を介して前記第２のアンテナに結合され、
前記第２のアンテナは、前記第１の周波数帯域および前記第２の周波数帯域をカバーするように構成され、
前記フィルタ回路は前記給電線に接続されている請求項１記載の情報処理装置。
【請求項４】
前記制御手段は、前記第１の無線通信モジュールが動作状態である場合、前記フィルタ回路をオンし、前記第１の無線通信モジュールが非動作状態である場合、前記フィルタ回路をオフする請求項１記載の情報処理装置。
【請求項５】
前記第１の無線通信モジュールおよび前記第２の無線通信モジュールを含む本体と、
前記本体に回動可能に取り付けられたディスプレイユニットとをさらに具備し、
前記第１のアンテナおよび前記第２のアンテナは前記ディスプレイユニット内に含まれており、前記フィルタ回路は前記本体内に含まれている請求項１記載の情報処理装置。
【請求項６】
第１の周波数帯域を用いて信号を無線送信および無線受信する第１の無線通信モジュールと、
第１の給電線を介して前記第１の無線通信モジュールに結合され、前記第１の周波数帯域をカバーする第１のアンテナと、
第１の無線回路と第２の無線回路とを含むコンボ無線通信モジュールであって、前記第１の無線回路は第２の周波数帯域を用いて信号を無線送信および無線受信し、前記第２の無線回路は第１の無線回路と前記第１の周波数帯域を用いて信号を無線送信および無線受信するコンボ無線通信モジュールと、
第２の給電線を介して前記第２の無線通信モジュールに結合され、前記第１の周波数帯域および前記第２の周波数帯域をカバーする第２のアンテナと、
前記第２の給電線に接続され、前記第１の周波数帯域に属する信号を減衰させるフィルタ回路と、
前記第１の無線通信モジュールおよび前記第１の無線回路がそれぞれ動作状態であり、且つ前記第２の無線回路が非動作状態である場合、前記フィルタ回路をオンする制御手段とを具備する情報処理装置。
【請求項７】
前記制御手段は、前記第１の無線通信モジュールまたは前記第１の無線回路のいずれかが非動作状態である場合、前記フィルタ回路をオフする請求項６記載の情報処理装置。
【請求項８】
前記制御手段は、前記第１の無線通信モジュール、前記第１の無線回路、および前記第２の無線回路がそれぞれ動作状態である場合、前記フィルタ回路をオフ状態に維持した状態で、前記第１の無線通信モジュールの送信電力を低減する請求項６記載の情報処理装置。
【請求項９】
前記第１の無線通信モジュールおよび前記コンボ無線通信モジュールを含む本体と、
前記本体に回動可能に取り付けられたディスプレイユニットとをさらに具備し、
前記第１のアンテナおよび前記第２のアンテナは前記ディスプレイユニット内に含まれており、前記フィルタ回路は前記本体内に含まれている請求項６記載の情報処理装置。
【手続補正書】
【提出日】平成23年4月6日(2011.4.6)
【手続補正１】
【補正対象書類名】特許請求の範囲
【補正対象項目名】全文
【補正方法】変更
【補正の内容】
【特許請求の範囲】
【請求項１】
第１の周波数帯域を用いて信号を無線送信および無線受信する第１の無線通信モジュールと、
前記第１の無線通信モジュールに結合された第１のアンテナと、
第２の周波数帯域を用いて信号を無線送信および無線受信する第２の無線通信モジュールと、
前記第２の無線通信モジュールに結合された第２のアンテナと、
前記第２の無線通信モジュールと前記第２のアンテナとの間に接続され、前記第１の周波数帯域に属する信号を減衰させるフィルタ回路と、
前記第１の無線通信モジュールが動作状態である場合、前記フィルタ回路をオンする制御手段とを具備する情報処理装置。
【請求項２】
前記第２のアンテナに結合され、前記第１の周波数帯域を用いて信号を無線送信および無線受信する第３の無線通信モジュールをさらに具備し、
前記第２のアンテナは、前記第１の周波数帯域および前記第２の周波数帯域をカバーするように構成されている請求項１記載の情報処理装置。
【請求項３】
前記第２のアンテナに結合され、前記第１の周波数帯域を用いて信号を無線送信および無線受信する第３の無線通信モジュールをさらに具備し、
前記第２の無線通信モジュールおよび前記第３の無線通信モジュールは給電線を介して前記第２のアンテナに結合され、
前記第２のアンテナは、前記第１の周波数帯域および前記第２の周波数帯域をカバーするように構成され、
前記フィルタ回路は前記給電線に接続されている請求項１記載の情報処理装置。
【請求項４】
前記制御手段は、前記第１の無線通信モジュールが動作状態である場合、前記フィルタ回路をオンし、前記第１の無線通信モジュールが非動作状態である場合、前記フィルタ回路をオフする請求項１記載の情報処理装置。
【請求項５】
前記第１の無線通信モジュールおよび前記第２の無線通信モジュールを含む本体と、
前記本体に回動可能に取り付けられたディスプレイユニットとをさらに具備し、
前記第１のアンテナおよび前記第２のアンテナは前記ディスプレイユニット内に含まれており、前記フィルタ回路は前記本体内に含まれている請求項１記載の情報処理装置。
【請求項６】
第１の周波数帯域を用いて信号を無線送信および無線受信する第１の無線通信モジュールと、
第１の給電線を介して前記第１の無線通信モジュールに結合され、前記第１の周波数帯域をカバーする第１のアンテナと、
第１の無線回路と第２の無線回路とを含むコンボ無線通信モジュールであって、前記第１の無線回路は第２の周波数帯域を用いて信号を無線送信および無線受信し、前記第２の無線回路は前記第１の周波数帯域を用いて信号を無線送信および無線受信するコンボ無線通信モジュールと、
第２の給電線を介して前記コンボ無線通信モジュールに結合され、前記第１の周波数帯域および前記第２の周波数帯域をカバーする第２のアンテナと、
前記第２の給電線に接続され、前記第１の周波数帯域に属する信号を減衰させるフィルタ回路と、
前記第１の無線通信モジュールおよび前記第１の無線回路がそれぞれ動作状態であり、且つ前記第２の無線回路が非動作状態である場合、前記フィルタ回路をオンする制御手段とを具備する情報処理装置。
【請求項７】
前記制御手段は、前記第１の無線通信モジュールまたは前記第１の無線回路のいずれかが非動作状態である場合、前記フィルタ回路をオフする請求項６記載の情報処理装置。
【請求項８】
前記制御手段は、前記第１の無線通信モジュール、前記第１の無線回路、および前記第２の無線回路がそれぞれ動作状態である場合、前記フィルタ回路をオフ状態に維持した状態で、前記第１の無線通信モジュールの送信電力を低減する請求項６記載の情報処理装置。
【請求項９】
前記第１の無線通信モジュールおよび前記コンボ無線通信モジュールを含む本体と、
前記本体に回動可能に取り付けられたディスプレイユニットとをさらに具備し、
前記第１のアンテナおよび前記第２のアンテナは前記ディスプレイユニット内に含まれており、前記フィルタ回路は前記本体内に含まれている請求項６記載の情報処理装置。
【請求項１０】
第１のアンテナに結合され、第１の周波数帯域を用いて信号を無線送信および無線受信する第１の無線通信モジュールと、
第２のアンテナに結合され、第２の周波数帯域を用いて信号を無線送信および無線受信する第２の無線通信モジュールと、
前記第２の無線通信モジュールに接続され、前記第２の無線通信モジュールに入力される前記第１の周波数帯域に属する信号を減衰させるフィルタ回路と、
前記第１の無線通信モジュールが動作状態である場合、前記フィルタ回路をオンする制御手段とを具備する情報処理装置。
【請求項１１】
前記制御手段は、前記第１の無線通信モジュールが非動作状態である場合、前記フィルタ回路をオフする請求項１０記載の情報処理装置。
【請求項１２】
前記フィルタ回路は、前記第２の無線通信モジュールと前記第２のアンテナとの間に接続されている請求項１０または１１のいずれか１項記載の情報処理装置。
【請求項１３】
表示装置をさらに具備する請求項１０、１１または１２のいずれか１項記載の情報処理装置。